(57)【特許請求の範囲】
【請求項１】
前面に開口する断熱箱体内に貯蔵室を有し、該断熱箱体の開口を、裏面周縁にそれぞれガスケットを有した観音開き式の第１及び第２扉にて開閉自在に閉塞して成る冷却貯蔵庫において、
前記第１扉は、非枢支側の内面に取り付けられた保持部材と、前記第１扉の回転軸方向に延在し、前記保持部材の前記第１扉非枢支側に回動自在に枢支されると共に、当該保持部材に沿った初期状態から前記第１扉の閉動作に伴って回動せられ、前記両扉の非枢支側に位置する前記ガスケットの当接面を形成する仕切体とを備え、
前記第１扉の非枢支側の内面には、突部を有して該突部から前記第１扉の枢支側に延在する補強部材が取り付けられており、前記保持部材は、前記第１扉の枢支側に延在する補強部を有し、前記補強部材を被覆するように当該補強部材に取り付けられていることを特徴とする冷却貯蔵庫。
【請求項２】
前記両扉は、外面材及び内面材と、これら外面材及び内面材に囲繞される空間内に充填された断熱材とから構成され、
前記内面材は、前記貯蔵室内方に向けて突出した形状を呈すると共に、前記保持部材の取付位置に相当する前記第１扉の内面材は平面とされていることを特徴とする請求項１の冷却貯蔵庫。
【発明の詳細な説明】
【０００１】
【発明の属する技術分野】
本発明は、前面に開口する断熱箱体内に貯蔵室を構成し、該断熱箱体の開口を、裏面周縁にそれぞれガスケットを有した観音開き式の第１及び第２扉にて開閉自在に閉塞して成る冷却貯蔵庫に関するものである。
【０００２】
【従来の技術】
従来よりこの種冷却貯蔵庫は、前面に開口する断熱箱体の開口を裏面周縁にそれぞれガスケットを有した観音開き式の第１及び第２扉にて開閉自在に閉塞している。また、回動自在の仕切体を例えば第１の扉の非枢支側に取り付け、第１の扉が閉じた状態では仕切体の前面を断熱箱体の開口縁において前方に指向させ、両扉のガスケットの当接面を形成すると共に、一方の扉を開く動作にて他方の扉を避けるように仕切体を回転させる構造が採られている。
【０００３】
係る構成によれば、仕切体は一方の扉の開放にて開口縁から撤去されるため、断熱箱体の開口全体を開放させることができ、両扉を独立して開閉することが可能とされる。
【０００４】
一方、前記第１の扉及び第２の扉は、外面材及び内面材とにより構成される。該外面材は、両側縁に内面材側に折曲するフランジが形成され、上下縁には、例えば樹脂製により構成されるキャップが取り付けられる。そして、これら外面材と、内面材と、外面材のフランジとキャップにより囲繞される空間内に断熱材を発泡充填することにより扉を構成している。
【０００５】
【発明が解決しようとする課題】
ところで、従来の冷却貯蔵庫における第１扉の枢支側の側部には、断面略Ｌ字状の金具を用いて、内方に向けて突出して形成される断面略Ｕ字状の保持部材が上下に渡って取り付けられる。そして、この保持部材には、その上端と下端に取り付けられる取付部材により、仕切体が回動自在に取り付けられていた。
【０００６】
しかしながら、従来の仕切体が取り付けられる保持部材では、扉の開閉により仕切体が回動した際に、保持部材が左右に振れるなど不安定な状態となり、これに伴って、仕切体も左右に振れるなど不安定となっていた。そのため、保持部材自体の左右の振れにより、保持部材が扉から落脱、ひいては仕切体が落脱する恐れがあった。
【０００７】
そこで、本発明は従来の技術的課題を解決するために成されたものであり、仕切体を取り付ける保持部材を強固に固定することができる冷却貯蔵庫を提供することを目的とする。
【０００８】
【課題を解決するための手段】
本発明の冷却貯蔵庫は、前面に開口する断熱箱体内に貯蔵室を有し、該断熱箱体の開口を、裏面周縁にそれぞれガスケットを有した観音開き式の第１及び第２扉にて開閉自在に閉塞して成るものであって、第１扉は、非枢支側の内面に取り付けられた保持部材と、第１扉の回転軸方向に延在し、保持部材の第１扉非枢支側に回動自在に枢支されると共に、当該保持部材に沿った初期状態から第１扉の閉動作に伴って回動せられ、両扉の非枢支側に位置するガスケットの当接面を形成する仕切体とを備え、第１扉の非枢支側の内面には、突部を有して該突部から第１扉の枢支側に延在する補強部材が取り付けられており、保持部材は、第１扉の枢支側に延在する補強部を有し、補強部材を被覆するように当該補強部材に取り付けられていることを特徴とする。
【０００９】
本発明によれば、前面に開口する断熱箱体内に貯蔵室を有し、断熱箱体の開口を、裏面周縁にそれぞれガスケットを有した観音開き式の第１及び第２扉にて開閉自在に閉塞して成る冷却貯蔵庫において、第１扉は、非枢支側の内面に取り付けられた保持部材と、第１扉の回転軸方向に延在し、保持部材の第１扉非枢支側に回動自在に枢支されると共に、当該保持部材に沿った初期状態から第１扉の閉動作に伴って回動せられ、両扉の非枢支側に位置するガスケットの当接面を形成する仕切体を備え、第１扉の非枢支側の内面には、突部を有して該突部から第１扉の枢支側に延在する補強部材が取り付けられており、保持部材は、第１扉の枢支側に延在する補強部を有し、補強部材を被覆するように当該補強部材に取り付けられているので、第１扉の開閉動作により回動される仕切体を、補強部材、及び、保持部材の補強部により強固に保持することができるようになる。これにより、仕切体の左右への振れや、保持部材及び仕切体の脱落を効果的に防止することができるようになるものである。
【００１０】
請求項２の発明の冷却貯蔵庫は、請求項１の発明に加えて、両扉は、外面材及び内面材と、これら外面材及び内面材に囲繞される空間内に充填された断熱材とから構成され、内面材は、貯蔵室内方に向けて突出した形状を呈すると共に、保持部材の取付位置に相当する第１扉の内面材は平面とされていることを特徴とする。
【００１１】
請求項２の発明によれば、請求項１の発明に加えて、両扉は、外面材及び内面材と、これら外面材及び内面材に囲繞される空間内に充填された断熱材とから構成され、内面材は、貯蔵室内方に向けて突出した形状を呈すると共に、保持部材の取付位置に相当する第１扉の内面材は平面とされているので、保持部材を取り付ける際に、内面材の突出した形状に影響されることなく、保持部材を容易に取り付けることができるようになる。
【００１２】
【発明の実施の形態】
以下、図面に基づき本発明の実施例を詳述する。図１は本発明の冷却貯蔵庫Ｒの斜視図、図２は冷却貯蔵庫Ｒの平断面図を示している。実施例の冷却貯蔵庫Ｒは、ホテルやレストランの厨房などに設置される縦型業務用冷凍庫であり、前面に開口する断熱箱体１８により構成されている。この断熱箱体１８内に構成された貯蔵室２０には、調理済みの食品（料理）や食材を載置するための棚２１・・が架設されており、更に、この貯蔵室２０の前面開口２２は横方向の図示しない中仕切によって中央部にて上下に仕切られている。
【００１３】
また、貯蔵室２０内上部には冷却装置２４の図示しない冷却器が取り付けられており、この冷却器によって貯蔵室２０内は所定の温度に冷却される。更に、断熱箱体１８の天面には前面パネル２５及び両側面及び後面を構成するパネル２６によって機械室２７が画成されており、この機械室２７内には前記冷却装置２４を構成する圧縮機２８や凝縮器２９などが設置され、前記冷却器と共に冷却装置２４の周知の冷媒回路を構成している。
【００１４】
一方、前記中仕切によって仕切られた貯蔵室２０の上下の開口２２は二組の観音開き式の扉（断熱扉）第１の扉２、第２の扉３によって開閉自在に閉塞される。また、上下の開口２２の中央部にそれぞれ位置する貯蔵室２０の天面及び前記中仕切の下面には、図示しない案内部材がそれぞれ取り付けられている。
【００１５】
ここで、図３乃至図７を参照して扉２、３について説明する。図３は扉２の部分拡大平断面図、図４は非枢支側の扉２の分解斜視図、図５は非枢支側の扉２の縦断側面図、図６は枢支側の扉２の分解斜視図、図７は枢支側の扉２の縦断側面図を示している。前記扉２、３は外面材４と、内面材５と、発泡断熱材６と、枢支側キャップ７と、非枢支側キャップ８とから構成されており、向かって右側に位置する第１の扉２の非枢支側内面には、詳細は後述する如く仕切体７０が取り付けられる。
【００１６】
前記内面材５は、例えばステンレス製の板状部材にて構成されており、外縁部には、ガスケット３０を取り付けるための取付溝６４が形成されている。該内面材５は、貯蔵室２０側に突出する突部５Ａが形成されている。また、この突部５Ａは、枢支側の側部に後述する保持部材７１の補強部７１Ａの取付位置に相当する位置において、該補強部７１Ａを回避するように平面を形成した後、貯蔵室２０側に突出して形成されている。
【００１７】
これにより、保持部材７１を取り付ける際に、内面材５の突出した形状に影響されることなく、保持部材７１を容易に取り付けることができるようになる。
【００１８】
ここで、保持部材７１は、内方に向けて突出して形成される断面略Ｕ字状の部材であり、係る保持部材７１の前端には、扉２の枢支側に延在する補強部７１Ａが形成されている。また、図３において、７５は、鋼板製の補強部材であり、非枢支側に位置する端部には、保持部材７１の前面開口の内径寸法と略きっちりに形成される突部７５Ａが形成されている。また、該補強部材７５の他端は、保持部材７１の補強部７１Ａと同様に扉２の枢支側に延在している。７６は、扉２の内面材５の内方から貯蔵室２０側に当接される鋼板製の固定部材である。
【００１９】
そして、仕切体７０を取り付ける際には、先ずはじめに、内面材５の内方から前記内面材５の平面部分に固定部材７６を当接させる。そして、内面材５の貯蔵室２０側から補強部材７５を当接させ、図示しないネジにて固定する。その後、補強部材７５の突部７５Ａを被覆するように、前記保持部材７１を補強部材７５に取り付ける。そして、該、補強部材７５の上端及び下端に図示しない取付部材を用いて、仕切体７０を取り付ける。
【００２０】
これにより、保持部材７１は、補強部７１Ａにより支持されるため、強固に仕切体７０を保持することができる。そのため、仕切体７０の回動による保持部材７１の左右の振れが緩和され、保持部材７１の落脱、又はこれに伴う仕切体７０の落脱を未然に回避することができるようになる。
【００２１】
仕切体７０の前面には鋼板製の前面板７２が取り付けられており、仕切体７０の上端には図示しない前記案内部材で案内されるための案内溝７３Ａ（案内部材２７が係合する）が形成されたキャップ７３が嵌合されている。
【００２２】
係る構成で、扉２を開くと案内部材と案内溝７３Ａとの係合によって仕切体７０は案内され、前面板７２が他方の扉３方向に向くように時計回りに回動される。これによって、仕切体７０は他方の扉３を避けて前方に移動可能となり、両扉２、３は独立して開閉可能となる。
【００２３】
また、扉２を閉じていくと案内部材内に案内溝７３Ａが侵入して上記とは逆方向に案内され、反時計回りに回動されてその前面板１５が開口２２において前方に指向する。これによって、両扉２、３のガスケット３０の当接面が前面板１５によって形成される。
【００２４】
次に、扉２、３と断熱箱体１８間をシールする前記ガスケット３０について説明する。ガスケット３０はマグネットガスケットであると共に、内面材５の取付溝６４に係合される部分は、鏃状の鏃部３０Ａとされ、この鏃部３０Ａを取付溝６４に挿入係合することにより取り付けられる。
【００２５】
一方、前記外面材４は、例えば鋼板製の板状部材により構成されており、上端及び下端は、前記内面材５に取り付けられた際に内面材５側に折曲された後、更に係る端部を内方に向けて折曲されるフランジ１０が形成されている。外面材４の枢支側に位置する上端及び下端に形成されるフランジ１０には、扉２を断熱箱体１８の開口２２に回動自在に取り付けるヒンジ部材９を取り付けるためのヒンジ係合部としてのヒンジ孔１１及びネジ孔１２が形成されている。
【００２６】
そして、この外面材４の両側端は、冷却貯蔵庫Ｒ本体の幅寸法に応じて、切断され、非枢支側の側部には、ハンドル５０が取り付けられる。このハンドル５０は、ハンドル本体５１とハンドルカバー５２とから構成され、ハンドルベース３２により外面材４に固定される。
【００２７】
ここで、外面材４の非枢支側の側部には、前記ハンドルベース３２を取り付けるための切欠３３が形成されている。この切欠３３の近傍、本実施例では上方及び下方には、前記ハンドルベース３２を固定するためのネジ孔３４が形成されている。
【００２８】
ハンドルベース３２は図４に示す如く後方に凹陥して形成されており、切欠３３に当接されるハンドルベース３２の周縁には、下フランジ５３が形成されている。この下フランジ５３の前面には、少許ハンドルベース３２内方に後退した下フランジ５３との間に溝を形成するかたちで上フランジ５４が形成されている。また、下フランジ５３の上部及び下部には、それぞれ上方及び下方に延出する取付部５５が形成されている。この取付部５５には、後方に凹陥する保持部５６が形成されており、係る保持部５６には、前記ハンドル本体５１を外面材４に取り付ける該保持部５６の内径寸法と略同一寸法のナット部材５７が収納可能とされている。
【００２９】
前記ハンドル本体５１は、上部及び下部にハンドルベース３２の保持部５６に形成されたネジ孔と合致するための取付孔が形成されている。尚、ハンドル本体５１とハンドルカバー５２は、それぞれ外縁部に形成される係合部により着脱自在に取り付けられるものとする。
【００３０】
以上の構成により、ハンドル５０を外面材４に取り付ける際には、先ず、ハンドルベース３２の下フランジ５３を切欠３３を塞ぐかたちで外面材４の内面と当接させる。このとき、外面材４の切欠３３の端面は、ハンドルベース３２の下フランジ５３と上フランジ５４との間に形成される溝に挿入される。これにより、外面材４の切欠３３の端面が下フランジ５３と上フランジ５４とにより挟持される。外面材４のネジ孔３４とハンドルベース３２の保持部５６に形成されるネジ孔が合致される。
【００３１】
そして、ハンドルベース３２の保持部５６にナット部材５７を載置した後、ハンドルベース３２の取付部５５を外面材４の裏側に宛い、ハンドル本体５１を載置する。このとき、ハンドル本体５１の取付孔５１Ａと、外面材４のネジ孔３４とが合致され、図示しないネジにて、ハンドル本体５１と、外面材４とハンドルベース３２を共締めにて固定する。
【００３２】
そして、このハンドル５０が取り付けられた外面材４の非枢支側には、非枢支側の側方から前記非枢支側キャップ８が取り付けられる。この非枢支側キャップ８は、外面材４の非枢支側の側端のカバー部材であり、外面材４の上端から下端に渡って形成される樹脂製の板状部材である。この非枢支側キャップ８は、前端及び後端にフランジ８Ａが形成されており、前記外面材４のフランジ１０を側方から被覆することができるように形成されている。また、この非枢支側キャップ８の上端及び下端には、前部よりも後部において両扉２、３が相互に近接する傾斜形状を呈するフランジ８Ｂが形成されている。
【００３３】
また、この非枢支側キャップ８の内側には、例えば前部に上部から下部に渡って補強桟１４が形成されている。この補強桟１４は、非枢支側キャップ８と一体に形成されるものであり、前部から中央部に渡って突出された複数の桟１４Ａが形成されているものである。これにより、非枢支側キャップ８を補強することができ、非枢支側キャップ８を強固に形成することができるようになる。
【００３４】
前記ハンドルベース３２に当接する位置の桟１４Ａは、ハンドルベース３２の形状に沿って後方及び側方に後退して形成されており、ハンドルベース３２を回避する形状とされている。これにより、ハンドルベース３２の取付に支障が生じないものとなる。
【００３５】
一方、前記非枢支側キャップ８の内側には、鋼板製のキャップ補強板６０が取り付けられる。キャップ補強板６０は、板状部材であり、前面及び後面に前記外面材４の上端に形成されるフランジ１０の幅寸法よりも少許小さい寸法フランジ６０Ａが形成されている。
【００３６】
これにより、非枢支側キャップ８の内側には、上部キャップ補強板６０が取り付けられるため、樹脂製の非枢支側キャップ８を補強することができ、扉２、３の強度を向上させることができるようになる。
【００３７】
一方、前記枢支側キャップ７は、前記非枢支側キャップ８と同様に外面材４の枢支側の側端に取り付けられるカバー部材であり、外面材４の上端から下端に渡って形成される樹脂製の板状部材である。この枢支側キャップ７は、前端及び後端にフランジ７Ａが形成されており、前記外面材４のフランジ１０を側方から被覆することができるように形成されている。
【００３８】
また、この枢支側キャップ７の内側には、例えば前部に上部から下部に渡って補強桟１３が形成されている。この補強桟１３は、枢支側キャップ７と一体に形成されるものであり、前部から中央部に渡って突出された複数の桟１３Ａが形成されているものである。これにより、枢支側キャップ７を補強することができ、枢支側キャップ７を強固に形成することができるようになる。
【００３９】
一方、前記枢支側キャップ７の内側には、鋼板製のキャップ補強板３５及びヒンジ補強板３６が取り付けられる。キャップ補強板３５は、断面略Ｌ字状の板状部材であり、前面及び後面にフランジ３５Ａが形成されている。このキャップ補強板３５は、前記外面材４の上端に形成されるフランジ１０の幅寸法よりも少許小さい寸法に形成され、Ｌ字状の一面を構成する上面３５Ｂは、前記外面材４の上端内側に当接するように構成されている。また、Ｌ字状の他方の面を構成する側面３５Ｃは、下方に渡って延在して形成され、前記枢支側キャップ７の内側に形成される補強桟１３に当接して取り付けるための切欠３７が形成されると共に、該切欠３７の前端は、前記補強桟１３に当接するフランジ３８が形成される。
【００４０】
また、このキャップ補強板３５の上面３５Ｂには、前記外面材４の上端のフランジ１０に形成されるヒンジ孔１１及びネジ孔１２と合致するためのヒンジ係合部としてのヒンジ孔３９及びネジ孔４０が形成されている。キャップ補強板３５が外面材４の上端のフランジ１０に合致された状態で、ヒンジ孔１１及び３９の上方から前記ヒンジ部材９が係合するヒンジカラー４１が取り付けられると共に、ネジ孔１２及び４０の上方から固定ビス４２が取り付けられる。
【００４１】
これにより、キャップ７の内側には、キャップ補強板３５が取り付けられるため、樹脂製のキャップ７を補強することができ、扉２、３の強度を向上させることができるようになる。
【００４２】
また、キャップ補強板３５には、ヒンジ部材９が係合するヒンジ孔３９を一体に形成したので、ヒンジ部材９が係合するためのヒンジ補強板が不要となり、部品点数の削減を行うことができるようになる。
【００４３】
他方、前記ヒンジ補強板３６は、前記キャップ補強板３５よりも厚肉の鋼板にて構成される断面略Ｌ字状の板状部材であり、前面及び後面にフランジ３６Ａが形成されている。このヒンジ補強板３６は、前記外面材４の下端に形成されるフランジ１０の幅寸法よりも少許小さい寸法に形成され、Ｌ字状の一面を構成する下面３６Ｂは、前記外面材４の下端内側に当接するように構成されている。また、Ｌ字状の他方の面を構成する側面３６Ｃは、前記キャップ７の補強桟１３の下方にまで延出して形成される。
【００４４】
このヒンジ補強板３６の下面３６Ｂには、前記外面材４の下端のフランジ１０に形成されるヒンジ孔１１及びネジ孔１２と合致するためのヒンジ係合部としてのヒンジ孔４３及びネジ孔４４が形成されている。ヒンジ補強板３６が外面材４の下端のフランジ１０に合致された状態で、ヒンジ孔１１及び４３の下方から前記ヒンジ部材９が係合するヒンジカラー４６が取り付けられる。また、ネジ孔１２及び４４の下方から図３に示す如くヒンジストッパー４５を介して固定ビス４７が取り付けられる。
【００４５】
これにより、下側のヒンジ部材９が係合するヒンジ補強板３６は、キャップ補強板３５とは別体として扉２又は３に取り付けられ、ヒンジ補強板３６は、キャップ補強板３５よりも厚肉の鋼板にて構成されるため、扉２又は３の加重が加わる下側のヒンジ部材９に係合する部分を強固に補強して扉２又は３の変形や脱落を未然に防止することができるようになる。
【００４６】
以上の構成により、扉２又は３を組み立てる場合には、上述の如く、ハンドル５０を取り付けた外面材４のフランジ１０の内面に前記内面材５を当接させる。その後、扉２又は３の枢支側にキャップ補強板３５及びヒンジ補強板３６を固定ビス４２、４７にてそれぞれ固定した後、枢支側から枢支側キャップ７を取り付ける。また、扉２又は３の非枢支側にキャップ補強板６０を取り付け、非枢支側の側方から非枢支側キャップ８を取り付ける。そして、内面材５と外面材４及びキャップ７、８間に発泡断熱材を充填する。そして、内面材５にガスケット３０を取り付けることにより、扉２、３が構成される。
【００４７】
これにより、外面材４の両側に内面材５側に折曲されたフランジを形成する必要が無くなり、外面材４の形状の簡素化を図ることができ、生産性の向上を図ることができるようになる。
【００４８】
そして、上述の如く構成された扉２及び３をヒンジ部材９とヒンジカラー４１とを係合させることにより、断熱箱体１８の開口２２に取り付ける。このとき、扉２及び扉３の閉扉時において、非枢支側に位置する両扉２、３の非枢支側キャップ８に形成されるフランジ８Ｂが前部よりも後部において両扉２、３に相互に近接するように傾斜して形成されているため、両扉２、３に取り付けられるガスケット３０、３０を近接して取り付けることができ、前記仕切体７０の前面板７２と両ガスケット３０、３０が十分に当接することができるようになる。これにより、冷気の漏洩を著しく改善することができるようになる。
【００４９】
【発明の効果】
以上詳述した如く本発明によれば、前面に開口する断熱箱体内に貯蔵室を有し、断熱箱体の開口を、裏面周縁にそれぞれガスケットを有した観音開き式の第１及び第２扉にて開閉自在に閉塞して成る冷却貯蔵庫において、第１扉は、非枢支側の内面に取り付けられた保持部材と、第１扉の回転軸方向に延在し、保持部材の第１扉非枢支側に回動自在に枢支されると共に、当該保持部材に沿った初期状態から第１扉の閉動作に伴って回動せられ、両扉の非枢支側に位置するガスケットの当接面を形成する仕切体を備え、第１扉の非枢支側の内面には、突部を有して該突部から第１扉の枢支側に延在する補強部材が取り付けられており、保持部材は、第１扉の枢支側に延在する補強部を有し、補強部材を被覆するように当該補強部材に取り付けられているので、第１扉の開閉動作により回動される仕切体を、補強部材、及び、保持部材の補強部により強固に保持することができるようになる。これにより、仕切体の左右への振れや、保持部材及び仕切体の脱落を効果的に防止することができるようになるものである。
【００５０】
請求項２の発明によれば、請求項１の発明に加えて、両扉は、外面材及び内面材と、これら外面材及び内面材に囲繞される空間内に充填された断熱材とから構成され、内面材は、貯蔵室内方に向けて突出した形状を呈すると共に、保持部材の取付位置に相当する第１扉の内面材は平面とされているので、保持部材を取り付ける際に、内面材の突出した形状に影響されることなく、保持部材を容易に取り付けることができるようになる。
【図面の簡単な説明】
【図１】  本発明の冷却貯蔵庫の斜視図である。
【図２】  本発明の冷却貯蔵庫の平断面図である。
【図３】  第１の扉の部分拡大平断面図である。
【図４】  非枢支側の扉の分解斜視図である。
【図５】  非枢支側の扉の縦断側面図である。
【図６】  枢支側の扉の分解斜視図である。
【図７】  枢支側の扉の縦断側面図である。
【符号の説明】
Ｒ  冷却貯蔵庫
２、３  扉
５  内面材
６  発泡断熱材
１８  断熱箱体
２２  前面開口
３０  ガスケット
７０  仕切体
７１  保持部材
７１Ａ  補強部
７２  前面板
７３  キャップ
７３Ａ  案内溝
７４  仕切部材
７５  補強部材
７５Ａ  突部
７６  固定部材
【図１】
0004222732.tif 000002
【図２】
0004222732.tif 000003
【図３】
0004222732.tif 000004
【図４】
0004222732.tif 000005
【図５】
0004222732.tif 000006
【図６】
0004222732.tif 000007
【図７】
0004222732.tif 000008